(57)【要約】【課題】プリント回路基板を提供する。【解決手段】プリント回路基板は、絶縁層及び絶縁層に形成されたアンテナを備える。絶縁層は、ベース部及びベース部の側部から突出する突起部を備え、アンテナは突起部に形成される。突起部は表示パネルの外側に配置されるので、アンテナは表示パネルの外側に露出される。したがって、表示装置の駆動過程で発生した高周波によるアンテナ部のノイズ発生を防止し、無線通信網を用いるデータ伝送率を向上させ、通信の信頼性を向上させることができる。【選択図】図１
2008098632.tif 000002
【特許請求の範囲】
【請求項１】
ベース部及び前記ベース部の側部から突出形成された少なくとも一つの突起部を含む絶縁層と、
前記ベース部に形成され、外部から第１信号を受信して、外部装置を駆動するための第２信号を出力する回路配線部と、
前記突起部に形成され、前記回路配線部から絶縁され、無線通信網を介してデータを送信及び受信する少なくとも一つのアンテナと、
前記ベース部に形成され、前記アンテナと電気的に接続され、前記アンテナとデータを送受信する連結配線部と、
を含むことを特徴とするプリント回路基板。
【請求項２】
前記絶縁層を介して、前記連結配線部と対向する第１接地層と、
前記連結配線部の上部に形成された第２接地層と、
をさらに含むことを特徴とする請求項１に記載のプリント回路基板。
【請求項３】
前記連結配線部と前記絶縁層との間に介在された第１接地層と、
前記連結配線部の上部及び側部を取り囲む第２接地層と、
をさらに含むことを特徴とする請求項１に記載のプリント回路基板。
【請求項４】
前記ベース部に実装されて、前記回路配線部と電気的に接続され、前記第１信号を受信して前記回路配線部に提供するメインコネクタと、
前記ベース部に実装されて、前記回路配線部と電気的に接続され、前記外部装置を検査するための検査信号を外部から受信して前記回路配線部に提供する検査コネクタと、をさらに含むことを特徴とする請求項１に記載のプリント回路基板。
【請求項５】
前記連結配線部は、前記メインコネクタと電気的に接続されることを特徴とする請求項４に記載のプリント回路基板。
【請求項６】
前記連結配線部は、前記検査コネクタと電気的に接続されることを特徴とする請求項４に記載のプリント回路基板。
【請求項７】
前記アンテナは複数備えられ、
前記絶縁層は複数の前記突起部を備え、
前記複数のアンテナは、前記複数の突起部にそれぞれ形成されることを特徴とする請求項１に記載のプリント回路基板。
【請求項８】
前記複数の突起部のうち何れか一つに実装されて、該当突起部に形成されたアンテナと電気的に接続されたサブコネクタをさらに含み、
前記サブコネクタと接続されたアンテナは、前記連結配線部と絶縁されることを特徴とする請求項７に記載のプリント回路基板。
【請求項９】
前記回路配線部及び前記アンテナをカバーする保護層をさらに含むことを特徴とする請求項１に記載のプリント回路基板。
【請求項１０】
映像に対応する制御信号を受信して、前記映像を表示する表示パネルと、
前記表示パネルと電気的に接続されて、前記制御信号を出力する第１プリント回路基板と、
を含み、
前記第１プリント回路基板は、
ベース部及び前記ベース部の側部から突出形成された少なくとも一つの突起部を含む絶縁層と、
前記ベース部に形成され、外部から前記映像に対応する映像信号を受信して、前記制御信号を出力する回路配線部と、
前記突起部に形成され、前記回路配線部と絶縁され、無線通信を介してデータを送受信する少なくとも一つのアンテナと、
前記ベース部に形成され、前記アンテナと電気的に接続されて、前記アンテナとデータを送受信する連結配線部と、
を含むことを特徴とする表示装置。
【請求項１１】
前記突起部は、平面上で見て、前記表示パネルの外側に突出することを特徴とする請求項１０に記載の表示装置。
【請求項１２】
前記第１プリント回路基板は、
前記連結配線部と前記絶縁層との間に介在された第１接地層と、
前記連結配線部の上部に形成された第２接地層と、
をさらに含むことを特徴とする請求項１０に記載の表示装置。
【請求項１３】
前記第１プリント回路基板は、
前記連結配線部と前記絶縁層との間に介在された第１接地層と、
前記連結配線部の上部及び側部をカバーする第２接地層と、
をさらに含むことを特徴とする請求項１０に記載の表示装置。
【請求項１４】
前記第１プリント回路基板は、
前記ベース部に実装されて、前記回路配線部と電気的に接続され、前記映像信号を受信して前記回路配線部に提供するメインコネクタと、
前記ベース部に実装されて、前記回路配線部と電気的に接続され、前記表示パネルの画質を検査するための検査信号を外部から受信して前記回路配線部に提供する検査コネクタと、
をさらに含むことを特徴とする請求項１０に記載の表示装置。
【請求項１５】
前記メインコネクタと電気的に接続され、前記回路配線部から出力されたデータを格納し、格納された前記データを用いて前記映像信号を生成し、前記映像信号を前記第１プリント回路基板に提供する第２プリント回路基板をさらに含むことを特徴とする請求項１４に記載の表示装置。
【請求項１６】
前記連結配線部は、前記メインコネクタと電気的に接続され、前記メインコネクタを介して前記第２プリント回路基板とデータを送受信することを特徴とする請求項１５に記載の表示装置。
【請求項１７】
前記連結配線部は、前記検査コネクタと電気的に接続され、前記検査コネクタを介して前記第２プリント回路基板とデータを送受信することを特徴とする請求項１３に記載の表示装置。
【請求項１８】
前記絶縁層は複数の前記突起部を含み、前記複数の突起部のそれぞれには前記アンテナが形成され、
前記第１プリント回路基板は、前記突起部のうちの何れか一つに備えられ、該当突起部に形成されたアンテナと電気的に接続されたサブコネクタをさらに含み、
前記サブコネクタと接続されたアンテナは、前記連結配線部と絶縁されることを特徴とする請求項１０に記載の表示装置。
【請求項１９】
前記表示パネルを収納する収納容器と、
前記表示パネルのエッジをカバーして前記表示パネルの位置をガイドし、前記突起部が挿入される挿入溝が形成され、前記収納容器と結合して前記表示パネルを固定するトップシャーシと、
をさらに含むことを特徴とする請求項１０に記載の表示装置。
【請求項２０】
前記突起部は、平面上で見て、前記表示パネルの上端部または上側部に位置することを特徴とする請求項１０に記載の表示装置。
【請求項２１】
映像に対応するデータ信号及びゲート信号を受信して、前記映像を表示する表示パネルと、
前記映像に対応するゲート制御信号を受信して、前記表示パネルに前記ゲート信号を出力するゲート駆動部と、
前記映像に対応する映像信号に応答して、前記ゲート制御信号及びデータ制御信号を生成し、前記表示パネルと電気的に接続されたデータプリント回路基板と、
を含み、
前記データプリント回路基板は、
ベース部及び前記ベース部の側部から突出形成された少なくとも一つの突起部を含む絶縁層と、
前記ベース部に形成され、前記映像信号を受信して、前記ゲート制御信号及び前記データ制御信号を出力する回路配線部と、
前記突起部に形成され、前記回路配線部と絶縁され、無線通信を介してデータを送受信する少なくとも一つのアンテナと、
前記ベース部に形成され、前記アンテナと電気的に接続され、前記アンテナとデータを送受信する連結配線部と、
を含むことを特徴とする表示装置。
【発明の詳細な説明】
【技術分野】
【０００１】
本発明は、プリント回路基板及びそれを有する表示装置に関し、特に、データ通信の信頼性を向上させることができるプリント回路基板及びそれを有する表示装置に関する。
【背景技術】
【０００２】
一般に、液晶表示装置は、屈折率異方性、誘電率異方性などの光学的、電気的特性を有する液晶を用いて映像を表示する表示装置である。液晶表示装置は、陰極線管（ＣＲＴ：ｃａｔｈｏｄｅ  ｒａｙ  ｔｕｂｅ）、プラズマディスプレイパネル（ＰＤＰ：ｐｌａｓｍａ  ｄｉｓｐｌａｙ  ｐａｎｅｌ）などの他の表示装置に比べて、薄く、軽量で、駆動電圧及び消費電力が低いという長所を有するので、産業全般にわたって広範囲で使用されている。
【０００３】
液晶表示装置は、テレビジョン、ノートブックコンピュータ、モニタなど、様々な映像処理装置に適用され、映像処理装置の内部で処理されたデータを表示する。近年、通信技術の発達に伴って、無線通信網を介してデータを送受信できる映像処理装置が開発されている。
【０００４】
すなわち、無線データ通信が可能な映像処理装置は、アンテナを内蔵し、そのアンテナを介して外部装置とデータを送受信する。一般に、アンテナは、映像処理装置を駆動する回路部に隣接して配置される。例えば、ノートブックコンピュータの場合、アンテナは、ユーザの操作によりデータまたは命令を入力するキーパッドに隣接して配置され、キーパッドの下には映像処理装置を制御するための回路部が備えられる。回路部は、高周波を発生するため、アンテナにノイズを誘発する。それによって、無線データ通信の送信率及び受信率が低下して、データ通信の信頼性が低下する。
【発明の開示】
【発明が解決しようとする課題】
【０００５】
本発明は、上述の問題点に鑑みてなされたもので、その目的は、無線データ通信の信頼性を向上させることができるプリント回路基板を提供することにある。
【０００６】
また、本発明の目的は、前記のプリント回路基板を備える表示装置を提供することにある。
【課題を解決するための手段】
【０００７】
前記の本発明の目的を達成するための一つの実施形態に係るプリント回路基板は、ベース部、絶縁層、回路配線部、少なくとも一つのアンテナ、及び連結配線部を含む。絶縁層は、ベース部及びベース部の側部から突出形成された少なくとも一つの突起部を含む。回路配線部は、ベース部に形成され、外部から第１信号を受信して、外部装置を駆動するための第２信号を出力する。アンテナは、突起部に形成されて回路配線部から絶縁され、無線通信網を介してデータを送信及び受信する。連結配線部は、ベース部に形成されてアンテナと電気的に接続され、アンテナとデータを送受信する。
【０００８】
プリント回路基板は、ベース部に実装されて、回路配線部と電気的に接続され、第１信号を受信して回路配線部に提供するメインコネクタと、ベース部に実装されて、回路配線部と電気的に接続され、外部装置を検査するための検査信号を外部から受信して回路配線部に提供する検査コネクタと、をさらに含む。
【０００９】
連結配線部は、メインコネクタ及び検査コネクタのうち何れか一つと電気的に接続される。
【００１０】
プリント回路基板は多数のアンテナを備えてもよく、絶縁層は多数の突起部を備えてもよく、多数のアンテナは、多数の突起部にそれぞれ形成される。プリント回路基板は、多数の突起部のうち何れか一つに実装されて、該当突起部に形成されたアンテナと電気的に接続されたサブコネクタをさらに含んでもよく、サブコネクタと接続されたアンテナは、連結配線部と絶縁される。
【００１１】
また、前記の本発明の目的を達成するための一つの実施形態に係る表示装置は、表示パネルと第１プリント回路基板とを含む。表示パネルは、映像に対応する制御信号を受信して、映像を表示する。第１プリント回路基板は、ベース部、絶縁層、回路配線部、少なくとも一つのアンテナ、及び連結配線部を含む。絶縁層は、ベース部及びベース部の側部から突出形成された少なくとも一つの突起部を含む。回路配線部は、ベース部上に形成され、外部から映像に対応する映像信号を受信して、制御信号を出力する。アンテナは、突起部に形成されて回路配線部と絶縁され、無線通信を介してデータを送受信する。連結配線部は、ベース部に形成され、アンテナと電気的に接続されて、アンテナとデータを送受信する。
【００１２】
表示装置は、表示パネルを収納する収納容器と、表示パネルのエッジをカバーして表示パネルの位置をガイドし、突起部が挿入される挿入溝が形成され、納容器と結合して表示パネルを固定するトップシャーシと、をさらに含む。突起部は、平面上で見て、表示パネルの上端部または上側部に位置する。
【００１３】
また、前記の本発明の目的を達成するための一つの実施形態に係る表示装置は、表示パネル、ゲート駆動部及びデータプリント回路基板を含む。表示パネルは、映像に対応するデータ信号及びゲート信号を入力されて、映像を表示する。ゲート駆動部は、映像に対応するゲート制御信号を受信して、表示パネルにゲート信号を出力する。データプリント回路基板は、映像に対応する映像信号に応答して、ゲート制御信号及びデータ制御信号を生成し、表示パネルと電気的に接続される。具体的に、データプリント回路基板は、絶縁層、回路配線部、少なくとも一つのアンテナ及び連結配線部を含む。絶縁層は、ベース部及びベース部の側部から突出形成された少なくとも一つの突起部を含む。回路配線部は、ベース部に形成され、映像信号を受信してゲート制御信号及びデータ制御信号を出力する。アンテナは、突起部に形成されて回路配線部と絶縁され、無線通信を介してデータを送受信する。連結配線部は、ベース部に形成され、アンテナと電気的に連結されてアンテナのデータを送受信する。
【００１４】
プリント回路基板及びこれを有する表示装置によれば、アンテナを表示パネルの外側に配置して外部に露出し、アンテナの上部及び下部には配線層を形成しない。したがって、アンテナの通信受信率を向上させることができるので、通信の信頼性を向上させることができる。
【発明の効果】
【００１５】
本発明によれば、プリント回路基板は、無線通信網を介してデータを送受信するアンテナ部を備え、アンテナ部は液晶表示パネルの外側に露出される。したがって、液晶表示装置の駆動過程で発生した高周波によるアンテナ部のノイズ発生が防止され、無線通信網を用いるデータ伝送率及び通信信頼性が向上する効果が得られる。
【００１６】
また、アンテナ部は、液晶表示パネルの画質を検査するための検査コネクタを介してコントロールプリント回路基板と接続されるので、検査コネクタの利用効率が向上する効果が得られる。
【発明を実施するための最良の形態】
【００１７】
以下、図面を参照して、本発明の好ましい実施形態を詳細に説明する。
【００１８】
図１は、本発明の実施形態に係るプリント回路基板を示す平面図であり、図２は、図１のＩ‐Ｉ’断面図である。
【００１９】
図１及び図２に示すように、本発明のプリント回路基板１００は、第１絶縁層１１０、回路配線部１２０、アンテナ部、及び連結配線部を含む。
【００２０】
第１絶縁層１１０は、エポキシ樹脂のような絶縁性樹脂材質で形成され、ベース部１１１及びベース部１１１から突出する多数の突起部を含む。ベース部１１１はプレート形状を有し、多数の突起部は第１〜第５突起部１１２、１１３、１１４、１１５、１１６を含む。第１〜第５突起部１１２、１１３、１１４、１１５、１１６は、互いに離隔して位置し、ベース部１１１の側部から突出して形成される。
【００２１】
回路配線部１２０は、ベース部１１１に形成され、第１信号を受信し、第２信号を出力する。ここで、第２信号は、回路配線部１２０に電気的に接続された外部装置を駆動するための信号であって、外部装置を制御する制御信号及び／又は外部装置で処理されるデータを含む。回路配線部１２０は、第１及び第２回路配線層１２１、１２２を含み、第１回路配線層１２１と第２回路配線層１２２との間には、第１絶縁層１１０が介在される。図面には図示していないが、第１及び第２回路配線層１２１、１２２は、第１絶縁層１１０に実装される半導体チップと電気的に接続される。半導体チップは、回路配線部１２０を介して第１信号を受信し、第２信号を回路配線部１２０に出力する。
【００２２】
アンテナ部は、第１〜第５突起部１１２、１１３、１１４、１１５、１１６に形成され、無線通信網を介して無線信号を送信及び受信する。具体的に、アンテナ部は、導電性金属材質で形成されてもよく、第１、第２、第３、第４及び第５アンテナ１３１、１３２、１３３、１３４、１３５を含んでもよい。
【００２３】
本実施形態において、アンテナ部は５つのアンテナ１３１、１３２、１３３、１３４、１３５を含むが、アンテナの個数は、プリント回路基板１００の大きさ及び設計によって増加または減少してもよい。
【００２４】
第１、第２、第３、第４及び第５アンテナ１３１、１３２、１３３、１３４、１３５は、第１、第２、第３、第４及び第５突起部１１２、１１３、１１４、１１５、１１６とそれぞれ対応して配置される。本実施形態において、第１絶縁層１１０は、５つの突起部１１２、１１３、１１４、１１５、１１６を備えるが、アンテナの数によって増加又は減少してもよい。すなわち、突起部は、アンテナの個数と同一な個数で形成される。
【００２５】
第１〜第５アンテナ１３１、１３２、１３３、１３４、１３５は、第１及び第２回路配線層１２１、１２２と絶縁するように配置される。第１〜第５アンテナ１３１、１３２、１３３、１３４、１３５の上部及び下部には、第１及び第２回路配線層１２１、１２２といった導電性金属層が形成されない。すなわち、第１〜第５アンテナ１３１、１３２、１３３、１３４、１３５は、回路配線部１２０から受ける影響を最小化するために第１〜第５突起部１１２、１１３、１１４、１１５、１１６にそれぞれ単独で形成される。それによって、第１〜第５アンテナ１３１、１３２、１３３、１３４、１３５を介して送信及び受信される無線信号のノイズ発生を減少させる。
【００２６】
本実施の形態において、第１、第２、第３、第４及び第５アンテナ１３１、１３２、１３３、１３４、１３５は、互いに同一な構造及び機能を有する。よって、以下、第１、第２、第３、第４及び第５アンテナ１３１、１３２、１３３、１３４、１３５の構造についての具体的な説明において、第１アンテナ１３１を一例として説明する。
【００２７】
図３は、図１に図示された第１アンテナを示す平面図である。
【００２８】
図１〜図３に示すように、第１アンテナ１３１は、第１突起部１１２に形成される。第１アンテナ１３１は、突出部１１２の突出方向に平行な第１ライン１３１ａ、第１ライン１３１ａの第１端部から延長された第２ライン１３１ｂ、第１ライン１３１ａの第２端部から第２ライン１３１ｂと平行に延長された第３ライン１３１ｃ、第１ライン１３１ａから分岐して、第２ライン１３１ｂと第３ライン１３１ｃとの間に位置する第４ライン１３１ｄ、第３ライン１３１ｃの一端部から第１ライン１３１ａと平行に延長された第５ライン１３１ｅ、及び第５ライン１３１ｅの一端部から第４ライン１３１ｄと平行に延長された第６ライン１３１ｆを含む。
【００２９】
第１アンテナ１３１は、連結配線部と電気的に接続される。連結配線部は、第１、第２、第４及び第５アンテナ１３１、１３２、１３４、１３５と電気的に接続されて、第１、第２、第４及び第５アンテナ１３１、１３２、１３４、１３５から無線データを受信し、無線通信網を介して外部に伝送するデータを第１、第２、第４及び第５アンテナ１３１、１３２、１３４、１３５に伝送する。
【００３０】
連結配線部は、第１及び第２連結ライン１４０、１４５からなる。第１連結ライン１４０は、第１及び第４アンテナ１３１、１３４と電気的に接続されて、第１及び第４アンテナ１３１、１３４からデータを送受信する。第２連結ライン１４５は、第２及び第５アンテナ１３２、１３５と電気的に接続されて、第２及び第５アンテナ１３２、１３５とデータを送受信する。
【００３１】
プリント回路基板１００は、連結配線部を接地するための第１及び第２接地層１５１、１５２、回路配線部１２０を接地するための第３接地層１５３、及び第１回路配線層１２１と第３接地層１５３との間に介在された第２絶縁層１６０をさらに含む。
【００３２】
第１及び第２接地層１５１、１５２は、第１及び第２連結ライン１４０、１４５と対応して配置され、第１及び第２連結ライン１４０、１４５の下部及び上部にそれぞれ形成される。
【００３３】
図２に示すように、第１接地層１５１は、第１絶縁層１１０に形成されて、第２回路配線層１２２と同一層に位置し、第１回路配線層１２２と離隔されて互いに絶縁される。第２接地層１５２は、第２絶縁層１６０に形成されて、第１回路配線層１２１と同一層に位置し、第１回路配線層１２１と離隔されて互いに絶縁される。第３接地層１５３は、第１絶縁層１１０の上面に形成されて、第１回路配線層１２１と第２回路配線層１２２との間に介在され、第１及び第２回路配線層１２１、１２２を遮蔽する。
【００３４】
第２絶縁層１６０は、第１絶縁層１１０の上部に第１絶縁層１１０と対応して形成される。すなわち、第２絶縁層１６０は、ベース部１１１の上部で第１連結ライン１４０及び第３接地層１５３をカバーし、第１連結ライン１４０及び第２接地層１５２と第３接地層１５３及び第１回路配線層１２１とを互いに絶縁する。ここで、第２絶縁層１６０の上面には、第１回路配線層１２１と第１アンテナ１３１と第２接地層１５２とが形成される。図面には図示していないが、第２〜第５アンテナ１３２、１３３、１３４、１３５も第１アンテナ１３１と同様に第２絶縁層１６０の上面に形成される。
【００３５】
このように、第１連結ライン１４０は、第１絶縁層１１０により第１接地層１５１と絶縁され、さらに第２絶縁層１６０により第２接地層１５２と絶縁される。図面には図示していないが、第２連結ライン１４５（図１参照）は、第１連結ライン１４０と同一層に形成され、第２絶縁層１６０によりカバーされる。したがって、第２連結ライン１４５は、第１連結ライン１４０と同様に、第１絶縁層１１０により第１接地層１５１と絶縁され、さらに第２絶縁層１６０により第２接地層１５２と絶縁される。
【００３６】
図面には図示していないが、第２絶縁層１６０が部分的に除去されて、そこにビアホールが形成されてもよく、第１回路配線層１２１と第２回路配線層１２２とは、ビアホールを介して電気的に接続される。
【００３７】
図３においては、第１アンテナ１３１と第１連結ライン１４０との間の接続関係を明確に示すために、第１連結ライン１４０の上部に形成された第２接地層１５２を省略して図示している。
【００３８】
このように、第１及び第２連結ライン１４０、１４５は、第１及び第２接地層１５１、１５２により遮蔽されるので、回路配線部１２０からの信号干渉を最小化することができる。
【００３９】
図４は、図２に図示された第２接地層の他の実施形態を示す断面図である。
【００４０】
図４に示すように、第２接地層１５４は、第１回路配線層１２１と同一層に形成され、第１回路配線層１２１と離隔されて、互いに絶縁される。すなわち、第２接地層１５４は、第２絶縁層１６０の上面に形成されて、第１連結ライン１４０と絶縁され、第１連結ライン１４０と対応して形成される。図面には図示していないが、第２接地層１５４は、第２連結ライン１４５（図１参照）とも対応して形成される。
【００４１】
第２接地層１５４の両端部は、第１及び第２連結ライン１４０、１４５の側部の方に延長され、第２接地層１５４はＵ字状に形成される。すなわち、第２接地層１５４の両端部は、第２絶縁層１６０を貫通して第２絶縁層１６０の上面から第１絶縁層１１０に向かって延長される。本発明の一例として、第２接地層１５４は、第１絶縁層１１０に延長された部分が第１絶縁層１１０を貫通して、第１接地層１５１と接触する。これによって、第１及び第２連結ライン１４０、１４５は、断面図において、第１及び第２接地層１５１、１５４により定義される空間に位置する。第１及び第２連結ライン１４０、１４５は、第２接地層の平行に延長された両端の間に配置され、第１及び第２接地層１５１、１５４により周囲を囲まれてもよい。
【００４２】
図面には図示していないが、第２接地層１５４は、第１絶縁層１１０に延長された部分が、第１連結ライン１４０及び／又は第２連結ライン１４５とアンテナ部とが連結される部分で、部分的に除去されて、第１及び第２連結ライン１４０、１４５との絶縁状態を維持する。
【００４３】
再び、図２を参照すると、プリント回路基板１００は、第１回路配線層１２１、第２接地層１５２及び第１アンテナ１３１を保護する保護層１７０をさらに備える。保護層１７０は、第２絶縁層１６０の上部に形成され、第１回路配線層１２１、第２接地層１５２及び第１アンテナ１３１をカバーして、第１回路配線層１２１、第２接地層１５２及び第１アンテナ１３１の腐食を防止する。図面には図示していないが、保護層１７０は、第２〜第５アンテナ１３２、１３３、１３４、１３５をカバーして保護する。保護層１７０は、プリント回路基板１００の全体に形成されてもよい。
【００４４】
再び図１を参照すると、プリント回路基板１００は、ベース部１１１に実装されたメインコネクタ１８１及び検査コネクタ１８２をさらに含む。メインコネクタ１８１は、ベース部１１１の上部に実装されて、回路配線部１２０と電気的に接続され、第１信号を受信して回路配線部１２０に提供する。検査コネクタ１８２は、ベース部１１１の上部に実装されて、回路配線部１２０と電気的に接続される。検査コネクタ１８２は、第２信号により駆動される外部装置を検査するための検査信号を受信して、回路配線部１２０に提供する。
【００４５】
検査コネクタ１８２は、第１及び第２連結ライン１４０、１４５と電気的に接続され、無線データを格納及び処理する中央処理装置（図示せず）と電気的に接続されて、第１及び第２連結ライン１４０、１４５と中央処理装置との間で送受信データを伝送する。
【００４６】
本実施形態において、第１及び第２連結ライン１４０、１４５は、検査コネクタ１８２と電気的に接続されるが、メインコネクタ１８１と電気的に接続されてもよい。第１及び第２連結ライン１４０、１４５がメインコネクタ１８１と電気的に接続される場合、メインコネクタ１８１は中央処理装置と接続されて、第１及び第２連結ライン１４０、１４５と中央処理装置との間で送受信データを伝送する。
【００４７】
図５は、図１に図示された第３アンテナを示す平面図である。
【００４８】
図１及び図５に示すように、プリント回路基板１００は、第３突起部１１４に実装されて、第３アンテナ１３３と電気的に接続されたサブコネクタ１９０をさらに含む。本実施形態において、プリント回路基板１００は、一つのサブコネクタ１９０を備えるが、サブコネクタの個数は、アンテナの個数やプリント回路基板１００の大きさによって増加または減少してもよい。
【００４９】
本発明の実施形態において、サブコネクタ１９０は、第３突起部１１４に備えられるが、第１、第２、第４及び第５突起部１１２、１１３、１１５、１１６のいずれかに備えられてもよい。
【００５０】
サブコネクタ１９０は、同軸ケーブル１９５を介して外部の中央処理装置といったデータ処理装置と電気的に接続され、第３アンテナ１３３とデータ処理装置との間で送受信データを伝送する。それによって、プリント回路基板１００は、各アンテナ１３１、１３２、１３３、１３４、１３５とのデータ通信のための連結配線部の大きさを最少化することができるので、アンテナの個数増加による連結配線部の大きさの拡大及びプリント回路基板１００の大きさの拡大を防止することができる。また、サブコネクタ１９０は、プリント回路基板１００が装着された装置以外の外部機器と電気的に接続されてもよい。それによって、無線通信用アンテナを備えない外部機器も第３アンテナ１３３を介して無線データ通信をすることができる。
【００５１】
図６は、図１に図示されたプリント回路基板を備える表示装置を示す分解斜視図である。
【００５２】
図６に示すように、液晶表示装置７００は、バックライトアセンブリ２００、液晶表示パネル３００、プリント回路基板１００、及び第１及び第２テープキャリアパッケージ（Ｔａｐｅ  Ｃａｒｒｉｅｒ  Ｐａｃｋａｇｅ、以下、ＴＣＰと称する）４１０、４２０を含む。
【００５３】
バックライトアセンブリ２００は、発光ユニット２１０、導光板２２０、少なくとも一つの光学シート２３０、反射板２４０及び収納容器２５０を含む。
【００５４】
発光ユニット２１０は、導光板２２０の一側に備えられ、光を発生するランプ２１１、及びランプ２１１を収納し、ランプ２１１から出射された光を反射して、導光板２２０に反射光を提供するランプカバー２１２を含む。導光板２２０は、発光ユニットから入射した光の経路を変更して、面光源形態の光を出射する。光学シート２３０は、導光板２２０の上に備えられて、導光板２２０から入射した光の特性、例えば、輝度及び輝度均一性などを向上させて出射する。反射板２４０は、導光板２２０の下に備えられて、導光板２２０から漏れた光を上へ反射する。
【００５５】
収納容器２５０は、発光ユニット２１０、導光板２２０、光学シート２３０及び反射板２４０を収納する。収納容器２５０は、底板２５１、底板２５１から上方へ向かって延長されて収納空間を形成する側板２５２を含む。底板２５１上には、導光板２２０、光学シート２３０及び反射板２４０が収納され、側板２５２上部には、液晶表示パネル３００が収納される。収納容器２５０は、側板２５２の上端部から延長されて、液晶表示パネル３００の位置をガイドするガイド部２５３をさらに含んでもよい。
【００５６】
バックライトアセンブリ２００は、収納容器２５０の外側にバックカバー２６０をさらに備えてもよい。バックカバー２６０は、金属材質からなり、発光ユニット２１０から発生した熱を放出する。バックカバー２６０は、ネジ２７１、２７２を用いて収納容器２５０に結合されてもよく、発光ユニット２１０を収納容器２５０に固定する。また、収納容器２５０は、バックカバー２６０があってもなくてもボトムシャーシ（図示せず）に収納される。
【００５７】
図７は、図６に図示されたプリント回路基板と液晶表示パネルとの結合関係を示す平面図である。
【００５８】
図６及び図７に示すように、バックライトアセンブリ２００の上部には、液晶表示パネル３００が備えられる。液晶表示パネル３００は、アレイ基板３１０、アレイ基板３１０と向き合う対向基板３２０、及びアレイ基板３１０と対向基板３２０との間に介在された液晶層（図示せず）を含む。
【００５９】
アレイ基板３１０は、多数のゲートライン、多数のデータライン及び多数の画素を含む。各ゲートラインＧＬは、ゲート信号を伝送する。各データラインＤＬは、ゲートラインＧＬと絶縁されて交差し、データ信号を伝送する。各画素３１３は、ゲートラインＧＬとデータラインＤＬとにより定義される画素領域に形成され、映像に対応する画素電圧を出力する。画素３１３は、ゲートラインＧＬ及びデータラインＤＬと電気的に接続され、画素電圧をスイッチングする薄膜トランジスタ３１１、及び薄膜トランジスタ１３１のドレイン電極と電気的に接続されて、画素電圧を出力する画素電極３１２を含む。
【００６０】
プリント回路基板１００は、液晶表示パネル３００のソース側に備えられる。本実施形態において、プリント回路基板１００は図１に図示されたプリント回路基板１００と同様なので、重複した説明は省略する。
【００６１】
図１、図２及び図７を参照すると、プリント回路基板１００の回路配線部１２０は、映像に対応する映像信号を受信し、データ制御信号及びゲート制御信号を出力する。
【００６２】
プリント回路基板１００の第１〜第３突起部１１２、１１３、１１４は、対向基板３２０にカバーされていないアレイ基板３１０の一側又は端と隣接して配置される。第１及び第２ＴＣＰ４１０、４２０の両端部は、プリント回路基板１００とアレイ基板３１０とにそれぞれ取り付けられ、プリント回路基板１００とアレイ基板３１０とを電気的に接続する。すなわち、第１ＴＣＰ４１０は、第２突起部１１３と第３突起部１１４との間に位置し、第２ＴＣＰ４２０は、第１突起部１１２と第２突起部１１３との間に位置する。第１及び第２ＴＣＰ４１０、４２０は、プリント回路基板１００の回路配線部１２０からのデータ制御信号を受信し、多数のデータラインにデータ信号を出力し、回路配線部１２０から受信したゲート制御信号をアレイ基板３１０に提供する。
【００６３】
液晶表示装置７００は、ゲート信号を出力する第１及び第２ゲート駆動部４３０、４４０をさらに備える。第１及び第２ゲート駆動部４３０、４４０は、アレイ基板３１０に形成されて、多数のゲートラインと電気的に接続され、多数の画素を介して対向する。第１及び第２ゲート駆動部４３０、４４０は、第１及び第２ＴＣＰ４１０、４２０からのゲート制御信号に応答して、多数のゲートラインにゲート信号を出力する。
【００６４】
また、液晶表示装置７００は、映像信号を出力するコントロールプリント回路基板５００をさらに含む。コントロールプリント回路基板５００は、プリント回路基板１００のメインコネクタ１８１と電気的に接続され、回路配線部１２０は、メインコネクタ１８１を介してコントロールプリント回路基板５００からの映像信号を受信する。
【００６５】
また、コントロールプリント回路基板５００は、プリント回路基板１００の検査コネクタ１８２と電気的に接続される。ここで、液晶表示装置７００の画質検査について説明する。検査コネクタ１８２は、外部の画質検査装置（図示せず）と電気的に接続されて、画質検査装置からの検査信号を回路配線部１２０に提供する。回路配線部１２０は、第１及び第２ＴＣＰ４１０、４２０を介して検査信号をアレイ基板３１０に提供する。液晶表示パネル３００は、検査信号に対応する映像を表示する。
【００６６】
検査コネクタ１８２は、プリント回路基板１００の第１、第２、第４及び第５アンテナ１３１、１３２、１３４、１３５と電気的に接続されて、第１、第２、第４及び第５アンテナ１３１、１３２、１３４、１３５とコントロールプリント回路基板５００との間でデータを伝送する。すなわち、コントロールプリント回路基板５００は、検査コネクタ１８２を介して第１、第２、第４及び第５アンテナ１３１、１３２、１３４、１３５から無線データを受信して格納する。また、コントロールプリント回路基板５００は、液晶表示装置７００に内蔵されたメモリからデータを読出し、読出したデータを検査コネクタ１８２を介して第１、第２、第４及び第５アンテナ１３１、１３２、１３４、１３５に提供する。第１、第２、第４及び第５アンテナ１３１、１３２、１３４、１３５は、コントロールプリント回路基板５００から受信したデータを無線通信網を介して外部無線装置（図示せず）に伝送する。
【００６７】
このように、第１、第２、第４及び第５アンテナ１３１、１３２、１３４、１３５は、検査コネクタ１８２を介してコントロールプリント回路基板５００と電気的に接続されるので、追加のコネクタを必要がない。特に、検査コネクタ１８２は、液晶表示装置７００の画質検査が終了した後は使用しないので、その利用効率が非常に低い。しかしながら、プリント回路基板１００は、検査コネクタ１８２を用いて、第１、第２、第４及び第５アンテナ１３１、１３２、１３４、１３５とコントロールプリント回路基板５００との間でデータを伝送するので、検査コネクタ１８２の利用効率が向上する。
【００６８】
本発明の一例として、コントロールプリント回路基板５００は、プリント回路基板１００のサブコネクタ１９０と電気的に接続される。すなわち、サブコネクタ１９０は、第３突起部１１４に実装されて、プリント回路基板１００の第３アンテナ１３３と電気的に接続される。コントロールプリント回路基板５００は、同軸ケーブル１９５を介してサブコネクタ１９０と電気的に接続され、それによって、コントロールプリント回路基板５００と第３アンテナ１３３とのデータ伝送が可能となる。サブコネクタ１９０と接続された同軸ケーブル１９５とが外部機器と電気的に接続されると、第３アンテナ１３３は、外部機器とのデータ伝送をすることもできる。
【００６９】
再び、図６を参照すると、液晶表示装置７００は、液晶表示パネル３００を収納容器２５０に固定するトップシャーシ６００をさらに含む。トップシャーシ６００は、液晶表示パネル３００のエッジをカバーして、液晶表示パネル３００の位置をガイドする。また、収納容器２５０と結合して、液晶表示パネル３００を収納容器２５０に固定する。
【００７０】
図８は、図６に図示されたトップシャーシを示す斜視図であり、図９は、図６に図示された表示装置を示す平面図である。
【００７１】
図８及び図９に示すように、トップシャーシ６００は、一部分が開口した上面６１０及び上面６１０から延長されて液晶表示パネル３００の側面をカバーする側面６２０を含む。側面６２０には、プリント回路基板１００の第１〜第５突起部１１２、１１３、１１４、１１５、１１６に対応して多数の挿入溝６２１が形成される。第１〜第５突起部１１２、１１３、１１４、１１５、１１６は、それぞれ多数の挿入溝６２１を通して液晶表示パネル３００の外側に突出する。よって、第１〜第５突起部１１２、１１３、１１４、１１５、１１６にそれぞれ形成された第１〜第５アンテナ１３１、１３２、１３３、１３４、１３５が、液晶表示パネル３００の外側に露出される。すなわち、第１〜第５アンテナ１３１、１３２、１３３、１３４、１３５は、平面上で見て、電波受信率の高い、液晶表示パネル３００の上端部及び上側部に位置する。
【００７２】
このように、第１〜第５アンテナ１３１、１３２、１３３、１３４、１３５は、液晶表示装置７００の外側に露出されるので、電波受信率が向上する。また、プリント回路基板１００及びコントロールプリント回路基板５００から発生した高周波の干渉を防止し、第１〜第５アンテナ１３１、１３２、１３３、１３４、１３５のノイズ発生を防止する。したがって、無線通信網を用いるデータ伝送率が向上し、通信の信頼性が向上する。
【００７３】
図１０は、図９に図示された液晶表示装置を示す側面図であり、図１１は、図９のＩＩ‐ＩＩ’断面図である。ここで、図１０は、トップシャーシ６００の側面６２０から見た平面図である。
【００７４】
図１０及び図１１に示すように、プリント回路基板１００のベース部１１１は、収納容器２５０の背面に備えられ、第１〜第５突起部１１２、１１３、１１４、１１５、１１６は、収納容器２５０の外側に露出される。
【００７５】
図９及び図１０を参照すると、トップシャーシ６００は、第１〜第５アンテナ１３１、１３２、１３３、１３４、１３５から離隔されて、絶縁される。すなわち、トップシャーシ６００は、導電性の金属材質で形成されるので、第１〜第５アンテナ１３１、１３２、１３３、１３４、１３５と接触する場合、第１〜第５アンテナ１３１、１３２、１３３、１３４、１３５にノイズを誘発しかねない。これを防止するために、トップシャーシ６００は、多数の挿入溝６２１を定義する面が第１〜第５突起部１１２、１１３、１１４、１１５、１１６から離隔して位置する。
【００７６】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７７】
【図１】本発明の実施形態に係るプリント回路基板を示す平面図である。
【図２】図１のＩ‐Ｉ’断面図である。
【図３】図１に図示された第１アンテナを示す平面図である。
【図４】図２に図示された第２接地層の他の実施形態を示す断面図である。
【図５】図１に図示された第３アンテナを示す平面図である。
【図６】図１に図示されたプリント回路基板を備える表示装置を示す分解斜視図である。
【図７】図６に図示されたプリント回路基板と液晶表示パネルの結合関係を示す平面図である。
【図８】図６に図示されたトップシャーシを示す斜視図である。
【図９】図６に図示された表示装置を示す平面図である。
【図１０】図９に図示された表示装置を示す側面図である。
【図１１】図９のＩＩ‐ＩＩ’断面図である。
【符号の説明】
【００７８】
１００  プリント回路基板
１１０、１６０  絶縁層
１２０  回路配線部
１３１、１３２、１３３、１３４、１３５  アンテナ
１４０、１４５  連結ライン
１８１  メインコネクタ
１８２  検査コネクタ
１９０  サブコネクタ
【図１】
2008098632.tif 000003
【図２】
2008098632.tif 000004
【図３】
2008098632.tif 000005
【図４】
2008098632.tif 000006
【図５】
2008098632.tif 000007
【図６】
2008098632.tif 000008
【図７】
2008098632.tif 000009
【図８】
2008098632.tif 000010
【図９】
2008098632.tif 000011
【図１０】
2008098632.tif 000012
【図１１】
2008098632.tif 000013